(57)【特許請求の範囲】
【請求項１】
自車両（５０）の周囲に存在する物体をそれぞれ異なる方式で検出する複数の検出部（２１，２２）を備える車両に適用され、前記複数の検出部の検出情報に基づいて、前記物体に対する衝突回避又は衝突抑制のための車両制御を実施する車両制御装置であって、
前記複数の検出部のうち、いずれかの検出部において、前記物体の検出能力が低下する検出能力低下状況が生じていることを、当該検出部又は他の検出部の前記検出情報により判定する第１判定部と、
前記第１判定部により前記検出能力低下状況が生じていると判定された後に、当該検出能力低下状況が解消されたことを判定する第２判定部と、
前記第２判定部により前記検出能力低下状況が解消されたと判定された後の所定時間以内に、当該検出能力低下状況が解消された前記検出部により前記物体が検出された場合には、前記検出能力低下状況が生じることなく前記検出部により前記物体が検出される場合の時間に比べて、前記衝突回避又は前記衝突抑制のための前記車両制御を実施するまでの作動時間を短縮し、前記第２判定部により前記検出能力低下状況が解消されたと判定された後の前記所定時間以内に、当該検出能力低下状況が解消された前記検出部により前記物体が検出されなかった場合には、前記作動時間を短縮しない作動制御部と、
を備えることを特徴とする車両制御装置。
【請求項２】
前記複数の検出部により前記物体を検出する状況下において、前記検出部で生じる前記検出能力低下状況の条件を前記検出部ごとに定めておくとともに、当該検出能力低下状況が解消される解消条件を定めておき、
前記第１判定部は、前記検出部ごとの前記検出能力低下状況の条件が成立する場合に、前記検出能力低下状況が生じていることを判定し、
前記第２判定部は、前記解消条件が成立する場合に、前記検出能力低下状況が解消されたことを判定する請求項１に記載の車両制御装置。
【請求項３】
前記作動制御部は、前記第１判定部により、前記検出部が前記検出能力低下状況であると判定されてから、前記第２判定部により、前記解消条件が成立し、前記検出能力低下状況が解消されたと判定されるまでの時間に応じて、前記作動時間を短縮する度合を可変設定する請求項２に記載の車両制御装置。
【請求項４】
自車両（５０）の周囲に存在する物体をそれぞれ異なる方式で検出する複数の検出部（２１，２２）を備える車両に適用され、前記複数の検出部の検出情報に基づいて、前記物体に対する衝突回避又は衝突抑制のための車両制御を実施する車両制御装置であって、
前記複数の検出部のうち、いずれかの検出部において、前記物体の検出能力が低下する検出能力低下状況が生じていることを、当該検出部又は他の検出部の前記検出情報により判定する第１判定部と、
前記第１判定部により前記検出能力低下状況が生じていると判定された後に、当該検出能力低下状況が解消されたことを判定する第２判定部と、
前記第２判定部により前記検出能力低下状況が解消されたと判定された後の所定時間以内に、当該検出能力低下状況が解消された前記検出部により前記物体が検出された場合に、前記検出能力低下状況が生じることなく前記検出部により前記物体が検出される場合の時間に比べて、前記衝突回避又は前記衝突抑制のための前記車両制御を実施するまでの作動時間を短縮する作動制御部と、を備え、
前記複数の検出部により前記物体を検出する状況下において、前記検出部で生じる前記検出能力低下状況の条件を前記検出部ごとに定めておくとともに、当該検出能力低下状況が解消される解消条件を定めておき、
前記第１判定部は、前記検出部ごとの前記検出能力低下状況の条件が成立する場合に、前記検出能力低下状況が生じていることを判定し、
前記第２判定部は、前記解消条件が成立する場合に、前記検出能力低下状況が解消されたことを判定し、
前記作動制御部は、前記第１判定部により、前記検出部が前記検出能力低下状況であると判定されてから、前記第２判定部により、前記解消条件が成立し、前記検出能力低下状況が解消されたと判定されるまでの時間に応じて、前記作動時間を短縮する度合を可変設定することを特徴とする車両制御装置。
【請求項５】
前記作動制御部は、前記第２判定部により、前記解消条件が成立し、前記検出能力低下状況が解消されたと判定されてから、前記検出能力低下状況が解消された前記検出部により、前記物体が検出されるまでの時間に応じて、前記作動時間を短縮する度合を可変設定する、請求項２乃至４のいずれか１項に記載の車両制御装置。
【請求項６】
自車両（５０）の周囲に存在する物体をそれぞれ異なる方式で検出する複数の検出部（２１，２２）を備える車両に適用され、前記複数の検出部の検出情報に基づいて、前記物体に対する衝突回避又は衝突抑制のための車両制御を実施する車両制御装置であって、
前記複数の検出部のうち、いずれかの検出部において、前記物体の検出能力が低下する検出能力低下状況が生じていることを、当該検出部又は他の検出部の前記検出情報により判定する第１判定部と、
前記第１判定部により前記検出能力低下状況が生じていると判定された後に、当該検出能力低下状況が解消されたことを判定する第２判定部と、
前記第２判定部により前記検出能力低下状況が解消されたと判定された後の所定時間以内に、当該検出能力低下状況が解消された前記検出部により前記物体が検出された場合に、前記検出能力低下状況が生じることなく前記検出部により前記物体が検出される場合の時間に比べて、前記衝突回避又は前記衝突抑制のための前記車両制御を実施するまでの作動時間を短縮する作動制御部と、を備え、
前記複数の検出部により前記物体を検出する状況下において、前記検出部で生じる前記検出能力低下状況の条件を前記検出部ごとに定めておくとともに、当該検出能力低下状況が解消される解消条件を定めておき、
前記第１判定部は、前記検出部ごとの前記検出能力低下状況の条件が成立する場合に、前記検出能力低下状況が生じていることを判定し、
前記第２判定部は、前記解消条件が成立する場合に、前記検出能力低下状況が解消されたことを判定し、
前記作動制御部は、前記第２判定部により、前記解消条件が成立し、前記検出能力低下状況が解消されたと判定されてから、前記検出能力低下状況が解消された前記検出部により、前記物体が検出されるまでの時間に応じて、前記作動時間の短縮率を可変設定することを特徴とする車両制御装置。
【請求項７】
前記作動制御部は、前記第２判定部により、前記解消条件が成立し、前記検出能力低下状況が解消されたと判定されてから、前記検出能力低下状況が解消された前記検出部により、前記物体が検出された際、検出された前記物体の種類に応じて、前記作動時間の短縮する度合を可変設定する請求項２乃至６のいずれか１項に記載の車両制御装置。
【請求項８】
自車両（５０）の周囲に存在する物体をそれぞれ異なる方式で検出する複数の検出部（２１，２２）を備える車両に適用され、前記複数の検出部の検出情報に基づいて、前記物体に対する衝突回避又は衝突抑制のための車両制御を実施する車両制御装置であって、
前記複数の検出部のうち、いずれかの検出部において、前記物体の検出能力が低下する検出能力低下状況が生じていることを、当該検出部又は他の検出部の前記検出情報により判定する第１判定部と、
前記第１判定部により前記検出能力低下状況が生じていると判定された後に、当該検出能力低下状況が解消されたことを判定する第２判定部と、
前記第２判定部により前記検出能力低下状況が解消されたと判定された後の所定時間以内に、当該検出能力低下状況が解消された前記検出部により前記物体が検出された場合に、前記検出能力低下状況が生じることなく前記検出部により前記物体が検出される場合の時間に比べて、前記衝突回避又は前記衝突抑制のための前記車両制御を実施するまでの作動時間を短縮する作動制御部と、を備え、
前記複数の検出部により前記物体を検出する状況下において、前記検出部で生じる前記検出能力低下状況の条件を前記検出部ごとに定めておくとともに、当該検出能力低下状況が解消される解消条件を定めておき、
前記第１判定部は、前記検出部ごとの前記検出能力低下状況の条件が成立する場合に、前記検出能力低下状況が生じていることを判定し、
前記第２判定部は、前記解消条件が成立する場合に、前記検出能力低下状況が解消されたことを判定し、
前記作動制御部は、前記第２判定部により、前記解消条件が成立し、前記検出能力低下状況が解消されたと判定されてから、前記検出能力低下状況が解消された前記検出部により、前記物体が検出された際、検出された前記物体の種類に応じて、前記作動時間の短縮率を可変設定することを特徴とする車両制御装置。
【請求項９】
前記複数の検出部として、反射波により、前記自車両の周囲の前記物体を検出する第１検出部（２２）と、撮影画像の画像処理により、前記自車両の周囲の前記物体を検出する第２検出部（２１）と、を備えており、
前記第１判定部は、前記第２検出部の前記画像処理により、互いに近接状態の第１物体及び第２物体が検出された場合に、前記第１検出部が前記検出能力低下状況であると判定し、
前記第２判定部は、前記第２検出部の前記画像処理により、前記第１物体と前記第２物体との前記近接状態が解消されたことが検出された場合に、前記第１検出部の前記検出能力低下状況が解消されたと判定し、
前記作動制御部は、前記第１検出部の前記検出能力低下状況が解消されたと判定された後の前記所定時間以内に、前記第１検出部により前記第２物体が検出された場合に、前記作動時間を短縮し、一方、前記所定時間以内に、前記第１検出部により前記第２物体が検出されなかった場合に、前記作動時間を短縮しない請求項１乃至８のいずれか１項に記載の車両制御装置。
【請求項１０】
自車両（５０）の周囲に存在する物体をそれぞれ異なる方式で検出する複数の検出部（２１，２２）を備える車両に適用され、前記複数の検出部の検出情報に基づいて、前記物体に対する衝突回避又は衝突抑制のための車両制御を実施する車両制御装置であって、
前記複数の検出部のうち、いずれかの検出部において、前記物体の検出能力が低下する検出能力低下状況が生じていることを、当該検出部又は他の検出部の前記検出情報により判定する第１判定部と、
前記第１判定部により前記検出能力低下状況が生じていると判定された後に、当該検出能力低下状況が解消されたことを判定する第２判定部と、
前記第２判定部により前記検出能力低下状況が解消されたと判定された後の所定時間以内に、当該検出能力低下状況が解消された前記検出部により前記物体が検出された場合に、前記検出能力低下状況が生じることなく前記検出部により前記物体が検出される場合の時間に比べて、前記衝突回避又は前記衝突抑制のための前記車両制御を実施するまでの作動時間を短縮する作動制御部と、を備え、
前記複数の検出部として、反射波により、前記自車両の周囲の前記物体を検出する第１検出部（２２）と、撮影画像の画像処理により、前記自車両の周囲の前記物体を検出する第２検出部（２１）と、を備えており、
前記第１判定部は、前記第２検出部の前記画像処理により、互いに近接状態の第１物体及び第２物体が検出された場合に、前記第１検出部が前記検出能力低下状況であると判定し、
前記第２判定部は、前記第２検出部の前記画像処理により、前記第１物体と前記第２物体との前記近接状態が解消されたことが検出された場合に、前記第１検出部の前記検出能力低下状況が解消されたと判定し、
前記作動制御部は、前記第１検出部の前記検出能力低下状況が解消されたと判定された後の前記所定時間以内に、前記第１検出部により前記第２物体が検出された場合に、前記作動時間を短縮し、一方、前記所定時間以内に、前記第１検出部により前記第２物体が検出されなかった場合に、前記作動時間を短縮しないことを特徴とする車両制御装置。
【請求項１１】
前記第１検出部が前記物体を検出可能な第１検出範囲と、前記第２検出部が前記物体を検出可能な第２検出範囲とが異なり、前記第１検出範囲が前記第２検出範囲内に含まれる場合において、
前記第１判定部は、前記第２検出部により、前記第１検出範囲外に第３物体が検出された場合に、前記第１検出部が前記検出能力低下状況であると判定し、
前記第２判定部は、前記第２検出部により、前記第１検出範囲内に前記第３物体が検出された場合に、前記第１検出部の前記検出能力低下状況が解消されたと判定し、
前記作動制御部は、前記第１検出部の前記検出能力低下状況が解消されたと判定された後の前記所定時間以内に、前記第１検出部により前記第３物体が検出された場合に、前記作動時間を短縮し、一方、前記所定時間以内に、前記第１検出部により前記第３物体が検出されなかった場合に、前記作動時間を短縮しない請求項９又は１０に記載の車両制御装置。
【請求項１２】
前記第１判定部は、前記第１検出部により、前記自車両に対して近距離に位置し、接近状態である第４物体が検出された場合に、前記第２検出部が前記検出能力低下状況であると判定し、
前記第２判定部は、前記第１検出部により、前記自車両と前記第４物体との距離が所定距離以上離れたことが検出された場合に、前記第２検出部の前記検出能力低下状況が解消されたと判定し、
前記作動制御部は、前記第２検出部の前記検出能力低下状況が解消されたと判定された後の前記所定時間以内に、前記第２検出部により前記第４物体が検出された場合に、前記作動時間を短縮し、一方、前記所定時間以内に、前記第２検出部により前記第４物体が検出されなかった場合に、前記作動時間を短縮しない請求項９乃至１１のいずれか１項に記載の車両制御装置。
【請求項１３】
前記第１検出部と前記第２検出部とで取得された前記物体の情報を融合することで、前記物体を検出する物体検出部を備える請求項９乃至１２のいずれか１項に記載の車両制御装置。
【請求項１４】
前記作動制御部は、前記第２判定部により前記検出能力低下状況が解消されたと判定された時点で、当該検出能力低下状況が解消された前記検出部により前記物体が検出されたことを条件に、前記作動時間を短く設定する請求項１乃至１３のいずれか１項に記載の車両制御装置。
【請求項１５】
前記検出能力低下状況の種類、又は、前記物体の種類に応じて、前記所定時間を可変設定する設定部を備える請求項１乃至１４のいずれか１項に記載の車両制御装置。
【請求項１６】
自車両（５０）の周囲に存在する物体をそれぞれ異なる方式で検出する複数の検出部（２１，２２）を備える車両に適用され、前記複数の検出部の検出情報に基づいて、前記物体に対する衝突回避又は衝突抑制のための車両制御を実施する車両制御装置であって、
前記複数の検出部のうち、いずれかの検出部において、前記物体の検出能力が低下する検出能力低下状況が生じていることを、当該検出部又は他の検出部の前記検出情報により判定する第１判定部と、
前記第１判定部により前記検出能力低下状況が生じていると判定された後に、当該検出能力低下状況が解消されたことを判定する第２判定部と、
前記第２判定部により前記検出能力低下状況が解消されたと判定された後の所定時間以内に、当該検出能力低下状況が解消された前記検出部により前記物体が検出された場合に、前記検出能力低下状況が生じることなく前記検出部により前記物体が検出される場合の時間に比べて、前記衝突回避又は前記衝突抑制のための前記車両制御を実施するまでの作動時間を短縮する作動制御部と、
前記検出能力低下状況の種類、又は、前記物体の種類に応じて、前記所定時間を可変設定する設定部と、を備えることを特徴とする車両制御装置。
【発明の詳細な説明】
【技術分野】
【０００１】
本発明は、複数のセンサを用いて自車両の周囲の物体を検出し、その検出された物体と自車両との衝突可能性に応じて車両制御を行う車両制御装置に関する。
【背景技術】
【０００２】
車両制御装置においては、自車両と自車両周囲の物体との衝突の可能性を早期に判定する必要がある。しかし、衝突の可能性が正しく判定されなければ不要な車両制御の増加につながる。そこで、物体の移動軌跡を統計処理することで、物体の位置の検出精度を高めることにより不要な車両制御を抑制することが知られている。
【０００３】
しかし、物体が遮蔽物の陰から突然現れる等の場合には、物体の移動軌跡を統計処理していると、衝突可能性の判定が間に合わなくなるおそれがある。
【０００４】
そこで特許文献１では、物体が遮蔽物で遮蔽された状態（遮蔽状態）である場合には、物体が遮蔽状態ではない場合と比較して、物体との衝突判定に要する時間を短縮することで、遮蔽状態の物体に対して早期に衝突の有無が判定されるようにしている。
【先行技術文献】
【特許文献】
【０００５】
【特許文献１】特開２０１４−２１３７７６号公報
【発明の概要】
【発明が解決しようとする課題】
【０００６】
ところで、複数のセンサを用いて物体を検出する場合、センサごとに物体の検出能力が低下する検出能力低下状況（苦手シーン）が生じうる。なお従来技術に記載の遮蔽状態は、センサの苦手シーンに起因して生じる現象の一つであると言える。
【０００７】
あるセンサの苦手シーンで検出されていなかった物体は、そのセンサの苦手シーンが解消されることで検出可能となる。しかし、苦手シーンにおいて検出されていなかった物体が、センサの苦手シーンの解消に伴って検出されるとは限らない。この場合、その物体に対する車両制御は不要となる。
【０００８】
そのため特許文献１に記載のように、センサの苦手シーンが解消されたことのみを条件として、衝突判定に要する時間が短縮された場合には、物体に対する不要な車両制御が行われる可能性があった。
【０００９】
本発明は上記に鑑みてなされたものであり、物体に対する不要な車両制御を抑制できる車両制御装置を提供することを主たる目的とするものである。
【課題を解決するための手段】
【００１０】
本発明は、車両（５０）の周囲に存在する物体を各々異なる方式で検出する複数の検出部（２１，２２）を備える車両に適用され、前記複数の検出部の各検出情報に基づいて、前記物体に対する衝突回避又は抑制のための車両制御を実施する車両制御装置であって、前記複数の検出部のうちいずれかの検出部において前記物体の検出能力が低下する検出能力低下状況が生じていることを、当該検出部又は他の検出部の検出情報により判定する第１判定部と、前記第１判定部により前記検出能力低下状況が生じていると判定された後に、当該状況が解消されたことを判定する第２判定部と、前記第２判定部により前記検出能力低下状況が解消されたと判定された後の所定時間以内に、当該状況にあった前記検出部により前記物体が検出された場合に、前記検出能力低下状況が生じずに前記検出部により前記物体が検出される場合に比べて、前記衝突回避又は抑制のための前記車両制御を実施するまでの作動時間を短くする作動制御部と、を備えることを特徴とする。
【００１１】
本発明によれば、検出部の検出能力低下状況が解消された後の所定時間以内に、当該状況にあった検出部によりその物体が検出されたことを条件として、検出能力低下状況が生じずに検出部により物体が検出される場合と比べて、衝突回避又は抑制のための車両制御を実施するまでの作動時間を短く設定するようにした。この場合、検出部の検出能力低下状況が解消された際に、物体に対する不要な車両制御が実施されることを抑制できる。
【図面の簡単な説明】
【００１２】
【図１】車両制御装置のブロック図。
【図２】衝突判定処理に関するフローチャート。
【図３】衝突判定処理の実行例を示す図。
【図４】衝突判定処理の実行例を示す図。
【図５】衝突判定処理の実行例を示す図。
【図６】衝突判定処理の実行例を示す図。
【図７】衝突判定処理の実行例を示す図。
【図８】作動時間設定の例を示す図。
【発明を実施するための形態】
【００１３】
以下、各実施形態を図面に基づいて説明する。なお、以下の各実施形態相互において、互いに同一もしくは均等である部分には、図中、同一符号を付しており、同一符号の部分についてはその説明を援用する。
【００１４】
本実施形態に係る車両制御装置１００は、車両（自車両）に搭載され、自車両の前方に存在する物体を検出し、その物体との衝突を回避又は軽減すべく各種制御を行うＰＣＳ（Pre-crash safety system）として機能する。
【００１５】
図１において、車両制御装置１００は、ＥＣＵ１０、各種センサ２０、被制御対象３０を備えて構成されている。
【００１６】
各種センサ２０としては、例えば、画像センサ２１、レーダセンサ２２、ヨーレートセンサ２３、車速センサ２４等を備えている。
【００１７】
画像センサ２１は、ＣＣＤカメラ、単眼カメラ、ステレオカメラ等を用いて構成され、自車両のフロントガラスの上端付近等に設置される。画像センサ２１は、所定時間毎に自車両の前方に向かって所定範囲で広がる領域を撮像して撮影画像を取得する。そして、撮影画像を画像処理することで、自車両前方の物体の形状（大きさ）や物体までの距離等を物標情報として取得する。画像センサ２１が取得した物標情報は、ＥＣＵ１０に入力される。
【００１８】
また、画像センサ２１は、撮影画像に対して、テンプレートマッチング等の周知の画像処理を行うことにより、撮影画角内に存在する所定の物体の種類（他車両、歩行者、路上障害物等）を検出する。本実施形態では、各物体の種類を特定するためのテンプレートとして、物体ごとの特徴を示す画像パターンである複数の辞書が記憶されている。辞書としては、物体全体の特徴をパターン化した全身辞書と、物体の部分的な特徴をパターン化した半身辞書とを記憶している。画像センサ２１が認識した物体の種類の情報は、ＥＣＵ１０に入力される。
【００１９】
レーダセンサ２２は、ミリ波やレーザ等の指向性のある電磁波を利用して自車両前方の物体を検出するものであり、自車両の前部においてその光軸が車両前方を向くように取り付けられている。レーダセンサ２２は、所定時間ごとに車両前方に向かって所定範囲で広がる領域をレーダ信号で走査するとともに、車外の物体の表面で反射された電磁波を受信することで物体との距離、物体との相対速度等を物標情報として取得する。取得された物標情報は、ＥＣＵ１０に入力される。
【００２０】
ヨーレートセンサ２３は、車両の旋回角速度（ヨーレート）を検出する。車速センサ２４は、車輪の回転速度に基づき自車両の走行速度を検出する。これらの各種センサ２０による検出結果は、ＥＣＵ１０に入力される。
【００２１】
ＥＣＵ１０は、車両制御装置１００全体の制御を行う電子制御ユニットであり、ＣＰＵを主体として構成され、ＲＯＭ，ＲＡＭ等を備えて構成されている。ＥＣＵ１０は、画像センサ２１及びレーダセンサ２２で取得した情報から、自車両前方の物体（車両、路上障害物や他車両）を検出する。詳しくは、ＥＣＵ１０は、同一物体について、画像センサ２１が検出した物標情報と、レーダセンサ２２が検出した物標情報とを融合（フュージョン）することで、物体を検出する。そして、自車両が各物体と衝突する可能性があるか否かを判定し、衝突する可能性が高いと判定した場合には、被制御対象３０を作動させる。
【００２２】
例えば、被制御対象３０は、スピーカ、シートベルト、ブレーキ等である。ＥＣＵ１０は、自車両が物体に衝突する可能性が高いと判定した場合には、スピーカの作動で運転者に警報を発信したり、シートベルトを巻き上げたり、ブレーキによって衝突速度を低減する等の制御を行うことで、自車両と物体との衝突を回避又は緩和する。
【００２３】
ところで、自車両と物体との衝突の回避又は緩和のためには、自車両と物体との衝突の可能性が早期に判定されることが求められる。一方、自車両と物体との衝突の可能性が正しく判定されなければ、不要な車両制御の増加につながる。そこで、物体の移動軌跡を統計処理で算出することで、物体の位置の検出精度を高め、自車両と物体との衝突可能性の判定精度を向上することができる。
【００２４】
しかし、自車両の前方に２つの物体が存在しており、その一方が移動物であり、他方が移動物を遮蔽する遮蔽物であることが考えられる。この場合、移動物が遮蔽物の陰から突然現れる等の場合には、移動物の移動軌跡を統計処理していると、衝突可能性の判定が間に合わなくなるおそれがある。そこで、移動物が遮蔽物で遮蔽された状態（遮蔽状態）である場合等、物体が突然現れる危険性がある場合に、物体が遮蔽状態でない場合と比較して、物体の衝突判定に要する時間を短縮することが想定される。これにより、遮蔽状態の物体に対して早期に衝突の有無を判定することが可能となる。
【００２５】
一方、センサはその特性に応じて物体の検出能力が低下する検出能力低下状況（苦手シーン）が生じうる。ここで物体の検出能力とは、センサが物体を検出する際の検出精度や、センサが物体を検出できるか否かの可能性等を意味する。そして、苦手シーンにおいては、複数のセンサを用いた物体の検出能力も低下する。
【００２６】
例えば、移動物が遮蔽状態の場合には、レーダセンサ２２は、遮蔽物と移動物とを区別して検出することができないため、レーダセンサ２２の苦手シーンとなる。
【００２７】
センサの苦手シーンが解消されれば、そのセンサが苦手シーンの際に検出できなかった物体を検出可能となる。しかしセンサの苦手シーンが解消された際に、そのセンサによって苦手シーンの際に検出されていなかった物体が検出されるとは限らない。そのため、センサの苦手シーンが解消されたことのみを条件として、車両制御の作動時間が短縮されると、自車両と物体との衝突可能性が低い状況下で不要な車両制御が行われる可能性がある。
【００２８】
ところで、自車両と衝突する可能性がある物体は、自車両との衝突直前には苦手シーンが解消されたセンサによって検出される特徴を有する。そこで、本実施形態では、あるセンサの苦手シーンの際には検出されていなかった物体が、そのセンサの苦手シーンの解消に伴って検出されたことを条件として、当該物体との衝突判定に要する時間を短縮する。
【００２９】
詳しくは、あるセンサの苦手シーンが解消された後の所定時間以内に、苦手シーンの際には検出されていなかった物体が、苦手シーンが解消されたセンサによって検出されれば、衝突判定に要する時間短縮を行う。一方、センサの苦手シーンが解消された後の所定時間以内に、苦手シーンが解消されたセンサによって、苦手シーンの際には検出されていなかった物体が検出されなければ、衝突判定に要する時間短縮を行わないようにする。以上により、衝突可能性が低い物体に対する不要な車両制御を抑制する。なお「所定時間」は実験等に基づき予め設定することができる。
【００３０】
上記の例では、レーダセンサ２２の苦手シーンにおいて、画像センサ２１のみで検出されていた物体が、レーダセンサ２２の苦手シーンが解消された後の所定時間以内に、レーダセンサ２２によって検出されれば衝突判定に要する時間を短縮する。一方、レーダセンサ２２の苦手シーンが解消された後の所定時間以内に、レーダセンサ２２によってその物体が検出されなければ、衝突判定に要する時間を短縮しないこととなる。
【００３１】
次に、本実施形態の衝突判定の演算時間の判定処理について図２を用いて説明する。本処理は、ＥＣＵ１０が予め設定された所定周期（例えば約５０ｍｓ）で繰り返し実施する。
【００３２】
図２において、物体を検出する（Ｓ１１）。本処理では、同一物体について、画像センサ２１で検出した物標情報と、レーダセンサ２２で検出した物標情報とをフュージョンして、物体を検出する。なお、画像センサ２１及びレーダセンサ２２の一方のみで物標情報が検出された場合は、その物標情報を用いて、物体を検出する。
【００３３】
次に、物体の種類を特定する（Ｓ１２）。本処理では、ＥＣＵ１０のＲＯＭ等に予め記憶された上記の半身辞書、全身辞書を用いて、撮影画像に対して各物体を特定するためテンプレートマッチングを行うことで、物体の種類（他車両、歩行者、路上障害物等）を特定する。そして、前回以前にＲＡＭ１３等に記録された物体と今回認識した物体とを対応付ける。
【００３４】
次に、レーダセンサ２２又は画像センサ２１の苦手シーンであるか否かを判定する（Ｓ１３）。なお、各センサの苦手シーンは、センサごとに予め定められる。例えば、所定の条件下で、画像センサ２１のみで検出され、レーダセンサ２２で検出されていない物体がある場合にはレーダセンサ２２の苦手シーンであると判定する。所定の条件下で、レーダセンサ２２のみで検出され、画像センサ２１で検出されていない物体がある場合には、画像センサ２１の苦手シーンであると判定する。これ以外にも、レーダセンサ２２と画像センサ２１の両方で検出されているが、一方の検出結果が非遮蔽状態であり、他方の検出結果が遮蔽状態となる等の場合にも、レーダセンサ２２又は画像センサ２１の苦手シーンであると判定できる。
【００３５】
Ｓ１３で、苦手シーンであると判定した場合には、苦手フラグをオンにする（Ｓ１４）。Ｓ１３で、苦手シーンでないと判定した場合には、苦手フラグをオフにする（Ｓ１５）。
【００３６】
続いて、苦手フラグがオンからオフに切り替わってからの経過時間が所定時間以内であるか否かを判定する（Ｓ１６）。Ｓ１６で経過時間が所定時間以内ではないと判定した場合には、物体との衝突判定に要する時間を短縮しない通常モードに設定する（Ｓ１９）。
【００３７】
Ｓ１６で肯定した場合、すなわち経過時間が所定時間以内の場合には、苦手シーンが解消されたセンサ（レーダセンサ２２又は画像センサ２１）によって、苦手シーンの解消前に検出できていなかった物体を検出したか否かを判定する（Ｓ１７）。なお苦手シーンの具体例については後述する。Ｓ１７で肯定した場合には、物体との衝突判定に要する時間を短縮する短縮モードに設定する（Ｓ１８）。短縮モードでは、衝突を判定する際に利用する基準条件を緩和することによって衝突に関する判定を終結するまでの時間を短く設定する。基準条件とは、物体の移動軌跡を求める際に利用する物標情報のサンプリング数、物体の横方向の移動距離等や、車両制御の対象物標として確定するかどうかを判定するための信頼度である。また、基準条件の緩和とは、基準条件がサンプリング数である場合には、サンプリング数を減らすことを表し、基準条件が移動距離である場合には、この距離の値を小さくすることを表す。基準条件が信頼度である場合には、信頼度判定用の閾値を低くすることを表す。このようにすることで、物体との衝突判定に要する時間を短縮できる。
【００３８】
Ｓ１７で否定した場合、すなわち苦手シーンが解消されたセンサによって、苦手シーンの解消前に検出できていなかった物体が検出されなかった場合には、通常モードに設定する（Ｓ１９）。
【００３９】
次の上記処理の実行例を説明する。
【００４０】
図３〜図５は、複数の物体の相互の位置関係が近接していることに起因する苦手シーンの例である。図６は、各センサの画角外に物体が存在することに起因する苦手シーンの例である。図７は、自車両と物体とが接近状態であることに起因して発生する苦手シーンの例である。
【００４１】
＜複数物体の位置関係に応じて発生する苦手シーン１＞
図３（ａ）において、自車両５０の進行方向（前方）に車両６０が停車しており、車両６０の後端位置と等距離の位置に歩行者６１が存在している。この場合、画像センサ２１で撮影された撮影画像から車両６０及び歩行者６１が個別に検出されるが、レーダセンサ２２の検出結果からは、互いに等距離に存在する複数の物体（車両６０及び歩行者６１）を区別して検出することが困難となる。そこで、画像センサ２１により車両６０の後端と等距離の位置に物体（歩行者）がある場合を、レーダセンサ２２による物体の検出能力が低下する苦手シーンに定める。
【００４２】
そして、レーダセンサ２２の苦手シーンが判定された状況下、図３（ｂ）に示すように、車両６０から歩行者６１が離れたことが検出された際に、レーダセンサ２２の苦手シーンが解消される。例えば、画像センサ２１の撮影画像を用いて、自車両５０の車軸Ｏに対する車両６０の角度θ１と、自車両５０の車軸Ｏに対する歩行者６１の角度θ２との差が所定以上に拡大したことが検出された際や距離・横位置の差が所定以上に拡大したことが検出された際に、レーダセンサ２２の苦手シーンが解消されたと判定できる。
【００４３】
そして、レーダセンサ２２の苦手シーンが解消された後の所定時間以内に、レーダセンサ２２によって歩行者６１からの反射波が検出されれば、歩行者６１との衝突判定が短縮モードで行われる。一方、レーダセンサ２２の苦手シーンが解消された後の所定時間以内に、レーダセンサ２２が歩行者６１からの反射波を検出できなければ、歩行者６１との衝突判定が通常モードで行われることとなる。
【００４４】
＜複数物体の位置関係に応じて発生する苦手シーン２＞
図４（ａ）において、車両６０の奥側（後方付近）に歩行者６２が存在している場合には、画像センサ２１で撮影された撮影画像から、車両６０が全身辞書で検出され、歩行者６２が半身辞書で個別に検出される。一方、レーダセンサ２２の検出結果からは、車両６０と歩行者６２とを区別して検出することが困難となる。そこで、車両６０によって遮蔽状態の物体（歩行者）が検出された場合を、レーダセンサ２２による物体の検出能力が低下する苦手シーンに定める。
【００４５】
そして、レーダセンサ２２の苦手シーンであると判定された状況下、図４（ｂ）に示すように、車両６０の後方から歩行者６２が現れたことが検出された際に、レーダセンサ２２の苦手シーンが解消される。例えば、画像センサ２１による撮影画像の画像処理で認識される歩行者６１が半身辞書から全身辞書に切り替わった際に、レーダセンサ２２の苦手シーンが解消されたと判定できる。これ以外にも、歩行者６２の位置が、物理的にレーダセンサ２２で検出できる角度に移動したことが、画像センサ２１で検出された際に、レーダセンサ２２の苦手シーンが解消されたと判定してもよい。
【００４６】
そして、レーダセンサ２２の苦手シーンが解消された後の所定時間以内に、レーダセンサ２２によって歩行者６２からの反射波が検出されれば、歩行者６２との衝突判定が短縮モードで行われる。一方、レーダセンサ２２の苦手シーンが解消された後の所定時間以内に、レーダセンサ２２により歩行者６２が検出されなければ、歩行者６２との衝突判定が通常モードで行われることとなる。
【００４７】
＜複数物体の位置関係に応じて発生する苦手シーン３＞
図５（ａ）では、所定エリアＳ内に複数の歩行者が存在する人ごみとなっている。この場合、画像センサ２１の撮影画像を全身辞書又は半身辞書を用いて画像処理することで、複数の歩行者を認識できる。一方、レーダセンサ２２は、個々の歩行者を分離して検出することが困難となる。そこで、撮像画像の画像処理によって人ごみが検出された場合をレーダセンサ２２の苦手シーンに定める。
【００４８】
そして、レーダセンサ２２の苦手シーンであると判定された状況下、図５（ｂ）に示すように、所定エリアＳ内の複数の歩行者のうちの一人の歩行者６３が、所定エリアＳから離れたことが検出された際に、レーダセンサ２２の苦手シーンが解消される。例えば、所定エリアＳの歩行者と、歩行者６３との角度が一定角度以上離れたことや距離が一定距離以上離れたことが画像センサ２１の画像処理で検出された際に、レーダセンサ２２の苦手シーンが解消されたと判定できる。
【００４９】
そして、苦手シーンが解消された後の所定時間以内に、レーダセンサ２２で歩行者６３が検出されれば、歩行者６３との衝突判定が短縮モードで行われる。苦手シーンが解消された後の所定時間以内に、レーダセンサ２２で歩行者６３が検出されなければ、歩行者６３との衝突判定が通常モードで行われることとなる。
【００５０】
＜画角外に物体が存在することに起因する苦手シーン＞
図６において、画像センサ２１の画角θａ、レーダセンサ２２の検出範囲θｂ（θｂ＜θａ）とする。この場合に図６（ａ）に示すように、レーダセンサ２２の検出範囲θｂの外側に歩行者６４が位置している場合には、画像センサ２１は歩行者６３を検出できるが、レーダセンサ２２は歩行者６４を検出できない。そこで、画像センサの画角θａ＞レーダセンサの検出範囲θｂである場合に、レーダセンサ２２の検出範囲θｂ外で物体が検出された場合をレーダセンサ２２の苦手シーンに定める。
【００５１】
そして、レーダセンサ２２の苦手シーンであると判定された状況下、図６（ｂ）に示すように、歩行者６４がレーダセンサ２２の検出範囲θｂ内に移動したことが検出された際に、苦手シーンが解消される。例えば、歩行者６４がレーダセンサ２２の検出範囲θｂ内に横移動したことが画像センサ２１の画像処理から検出された際、またはレーダセンサ２２自身が検出範囲θｂ内の歩行者６４を検出した際に、レーダセンサ２２の苦手シーンが解消されたと判定できる。
【００５２】
そして苦手シーンが解消された後の所定時間以内に、レーダセンサ２２によって歩行者６４が検出されれば、歩行者６３との衝突判定を短縮モードで行う。一方、苦手シーンが解消された後の所定時間以内に、レーダセンサ２２で歩行者６４が検出されなければ、歩行者６４との衝突判定が通常モードで行う。
【００５３】
＜自車両と物体とが接近状態となる際に発生する苦手シーン＞
図７において、レーダセンサ２２は電磁波の反射点として物体を検出するため、自車両５０と先行車両７０との距離に関わらず、先行車両７０を検出できる。一方、画像センサ２１は自車両５０と先行車両７０とが接近状態となると、画像センサ２１の撮影画角から先行車両７０（後端部の一部または全体）が外れ、全身辞書又は半身辞書を用いて先行車両７０を検出することが困難となる可能性がある。そこで、自車両５０に対して所定の接近状態の物体がある場合を、画像センサ２１による物体の検出能力が低下する苦手シーンに定める。
【００５４】
例えば図７において、先行車両７０と自車両５０との距離がｄ１に接近した際に画像センサ２１の苦手シーンであると判定する。そして、画像センサ２１の苦手シーンであると判定された状況下、レーダセンサ２２によって、自車両５０と先行車両７０との車間距離が所定以上に拡大したことが検出された際に苦手シーンが解消したと判定する。例えば、自車両５０と先行車両７０との車間距離が拡大してｄ２となり、画像センサ２１の全身辞書又は半身辞書で先行車両７０を検出可能となった際に苦手シーンが解消したと判定する。
【００５５】
そして、画像センサ２１の苦手シーンが解消された後の所定時間以内に、画像センサ２１の画像処理で先行車両７０が検出されれば、先行車両７０に対する衝突判定を短縮モードで行う。一方、画像センサ２１の苦手シーンが解消された後の所定時間以内に、画像センサ２１で先行車両７０が検出されなければ、先行車両７０に対する衝突判定を通常モードで行う。
【００５６】
上記によれば以下の優れた効果を奏することができる。
【００５７】
・センサの苦手シーン（検出能力低下状況）において、物体の検出能力を高めるために、物体との衝突回避又は抑制のための車両制御を実施するまでに時間をかけていると、警報出力が間に合わなくなるおそれがある。そこで、物体が遮蔽物の陰に隠れている等、センサの苦手シーンである場合には、物体との衝突判定又は抑制のための車両制御を実施するまでの時間を短縮することで、衝突可能性の判定が間に合わなくなる不都合を解消できる。しかしセンサの苦手シーンが解消された際に、当該物体が検出されるとは限らない。この場合、当該物体に対して不要な警報が出力されることとなり、自車両の運転者の不快感を招くことにつながる。
【００５８】
そこで、センサの苦手シーンが解消された後の所定時間以内に、当該状況にあったセンサによりその物体が検出されたことを条件として、センサの苦手シーンが生じずにセンサにより物体が検出される場合と比べて、衝突回避又は抑制のための車両制御を実施するまでの作動時間を短く設定するようにした。この場合、センサの苦手シーンの解消に伴って物体に対する不要な車両制御が実施されることを抑制できる。
【００５９】
・個々のセンサにおける苦手シーンと、その苦手シーンが解消される解消条件を予め定めておくことによって、センサごとに、苦手シーンの解消を適切に判定することができる。
【００６０】
・互いに近接している第１物体及び第２物体がある場合、画像センサ２１は第１物体と第２物体とを区別して検出できるが、レーダセンサ２２は、近接状態の第１物体と第２物体とを区別して検出することが困難であり、第１検出部による物体の検出能力が低下する。そこで、画像センサ２１が第１物体に対して近接する第２物体を検出した際に、レーダセンサ２２の苦手シーンであると判定する。その後、画像センサ２１により第１物体に対する第２物体の近接状態が解消されたことが検出された場合に、レーダセンサ２２の苦手シーンが解消されたと判定する。そして、レーダセンサ２２の苦手シーンが解消されたと判定した後の所定時間以内に、レーダセンサ２２が第２物体を検出すれば、第２物体と自車両との衝突可能性があるとして、車両制御を実施するまでの作動時間を短くする。一方、レーダセンサ２２の苦手シーンが解消されたと判定した後の所定時間以内に、レーダセンサ２２が第２物体を検出していなければ、自車両との衝突可能性が低いため、車両制御を実施するまでの作動時間を短縮しないこととした。この場合、レーダセンサ２２の苦手シーンが解消された後の所定時間以内に、画像センサ２１及びレーダセンサ２２の両方で第２物体が検出されていなければ、車両制御の作動時間は短縮されないこととなり、レーダセンサ２２の苦手シーンの解消に伴って信頼度の低い物体に対する不要な車両制御が行われることを抑制できる。
【００６１】
・レーダセンサ２２と画像センサ２１との検出角が異なり、レーダセンサ２２の第１検出角が画像センサ２１の第２検出角よりも小さく、第１検出角が第２検出角に含まれる場合において、第１検出角外であり且つ第２検出角内に存在する第３物体は、画像センサ２１で検出されるが、レーダセンサ２２では検出されない。そこで、画像センサ２１によって第１検出角外の第３物体が検出された場合に、レーダセンサ２２の苦手シーンであると判定する。その後、画像センサ２１により第１検出角内で第３物体が検出された際に、レーダセンサ２２の苦手シーンが解消されたと判定する。そして、レーダセンサ２２の苦手シーンが解消されと判定した後の所定時間以内に、レーダセンサ２２が第３物体を検出していれば、車両制御を実施するまでの作動時間を短縮する。一方、レーダセンサ２２の苦手シーンが解消されと判定した後の所定時間以内に、レーダセンサ２２が第３物体を検出していなければ、車両制御を実施するまでの作動時間を短縮しないこととした。この場合、レーダセンサ２２の苦手シーンの解消に伴ってレーダセンサ２２及び画像センサ２１の両方で第３物体が検出されていなければ、車両制御の作動時間は短縮されないこととなり、レーダセンサ２２の苦手シーンが解消された際に、信頼度の低い物体に対する不要な車両制御が行われることを抑制できる。
【００６２】
・自車両に対して物体が近距離の位置にある場合には、画像センサ２１の撮影画角から物体の一部（上端、下端）又は全体が外れることが生じ、画像センサ２１による物体の検出能力が低下する。そこで、レーダセンサ２２により自車両から所定の近距離となる位置に第４物体が検出されている場合に、画像センサ２１の苦手シーンであると判定する。そして、レーダセンサ２２により自車両に対する第４物体の距離が所定以上離れたことが検出された際に、苦手シーンが解消されたと判定する。そして苦手シーンが解消された後の所定時間以内に、画像センサ２１によって第４物体が検出されていれば、車両制御を実施するまでの作動時間を短縮し、苦手シーンが解消された後の所定時間以内に、画像センサ２１によって第４物体が検出されていなければ、車両制御を実施するまでの作動時間を短縮しないこととした。この場合、自車両と物体とが近距離であることに起因して苦手シーンが発生した場合において、苦手シーンの解消に伴ってレーダセンサ２２及び画像センサ２１の両方で物体が検出されていなければ、車両制御の作動時間は短縮されないこととなるため、信頼度の低い物体に対する不要な車両制御を抑制できる。
【００６３】
なお本発明は上記に限定されず以下のように実施してもよい。なお以下の説明において上記と同様の構成には同じ図番号を付し詳細な説明は省略する。
【００６４】
・上記において、自車両と衝突する可能性のある物体は、苦手シーンの解消に伴って、衝突直前には物体全体が検出可能な状態に遷移する特徴を有している。そこで、苦手シーンが解消された際、画像センサ２１による画像処理によって、センサの苦手シーンにおいて検出されていなかった物体全体が検出されたことを条件として、衝突判定に要する時間を短縮するようにしてもよい。なお、物体全体が検出されたか否かは、全身辞書を用いた撮影画像のテンプレートマッチングにより判定できる。
【００６５】
・上記において、センサの苦手シーンが判定されてから、センサの苦手シーンが解消されたと判定されるまでに要する時間に応じて、車両制御を実施するまでの作動時間を短くする度合を可変設定してもよい。例えば、図８に示すように、センサの苦手シーンが判定されてから、苦手シーンが解消されるまでの時間Ｔ１が長くなるほど、車両制御を実施するまでの作動時間の短縮の度合いを高める。この場合、センサの苦手シーンが解消された際の状況（苦手シーンが解消された時点における物体との位置関係）を加味して、車両制御をより適切に実施できる。
【００６６】
・上記において、センサの苦手シーンが解消されてから、当該センサにより物体が検出されるまでの時間に応じて、車両制御の作動時間を短くする度合を可変設定してもよい。例えば、センサの苦手シーンが解消されてから物体が検出されるまでの時間が短くなるほど、車両制御の作動時間を短めに設定する。一方、センサの苦手シーンが解消されてから物体が検出されるまでの時間が長くなるほど、車両制御の作動時間を長めに設定する。この際、センサの苦手シーンが解消されてから一定時間が経過した後は、車両制御の作動時間の短縮を実施しないようにしてもよい。以上のように、苦手シーンが解消されてから物体が検出されるまでの時間に応じて、車両制御の作動時間を短くする度合いを可変設定する場合、苦手シーンの解消後に物体が検出される状況を加味して、車両制御をより適切に実施できる。
【００６７】
・レーダセンサ２２は、コントラストに関わらず自車両５０の前方に存在する物体までの距離を検出することが可能である。一方、画像センサ２１は、夜間などの光量が少ない状況（コントラストが低い状況）では、物体の認識性能が低下する。そこで、コントラストが低い場合を、画像センサ２１の苦手シーンとして定める。この場合には、レーダセンサ２２のみによって検出されている物体の検出範囲が、自車両５０におけるロービームの照射範囲外であり、且つハイビームの照射距離内であることを条件として、画像センサ２１の苦手シーンが解消されたことを判定できる。そして、苦手シーンにおいて画像センサ２１で検出されていなかった物体を、苦手シーンが解消された後の所定時間以内に、画像センサ２１で検出できれば、衝突判定に要する時間を短縮モードにする。
【００６８】
・上記において、画像センサ２１の撮影画角よりレーダセンサ２２の検出範囲が大きい場合には、画像センサ２１の撮影画角外の物体は、画像センサでは検出できない。そこで、画像センサ２１の撮影画角外で、レーダセンサ２２で検出された物体がある場合を、画像センサ２１の苦手シーンに定める。この場合、自車両５０の車速変化や歩行者の横速度の変化により、画像センサ２１が原理上検知可能な角度内に物体（歩行者等）が移動してきたことを検出した際に、画像センサ２１の苦手シーンが解消されたと判定できる。
【００６９】
・上記において、例えば、片側複数車線の道路において、自車両５０の前方に複数台の大型車両（トラックなど）が横並びで走行している状態で、それらの大型車両間にそれよりも小型の車両（例えば、軽自動車、二輪車両等）が存在しており、かつ、その小型車両が大型車両の後端と等距離の位置にある場合には、レーダセンサ２２が大型車両と小型車両とを区別して認識することが困難となるため、レーダセンサ２２の苦手シーンとして定める。この場合には、画像センサ２１の画像処理で、大型車両と小型車両との距離・横位置等の差が所定以上に拡大したことが検出された際に、レーダセンサ２２の苦手シーンが解消されと判定できる。そして苦手シーンが解消されと判定された後の所定時間以内に、レーダセンサ２２で小型車両が検出されれば、衝突判定を短縮モードで行い、物体全体を検出できなければ衝突判定を通常モードで行う。
【００７０】
・上記において、ガードレール付近（奥側）に歩行者等の物体が存在しており、ガードレールと物体との間隔が狭い場合には、レーダセンサ２２は、ガードレールと歩行者とを区別して認識することが困難となるため、このような状況を、レーダセンサ２２の苦手シーンとして定める。この場合には、歩行者がガードレールを超えて自車線側に移動するとともに、ガードレールと歩行者との間隔が所定以上に離れたことが撮影画像の画像処理等で検出された際に、レーダセンサ２２の苦手シーンが解消されたと判定できる。そして苦手シーンが解消された後の所定時間以内に、レーダセンサ２２によって、ガードレールの内側の歩行者が検出されていれば、衝突判定を短縮モードで行う。一方、レーダセンサ２２で、ガードレールの内側の歩行者が検出されていなければ、衝突判定を通常モードで行う。なお、レーダセンサ２２の苦手シーンが解消された後の所定時間以内に、ガードレール内の歩行者が検出されており、かつその歩行者が自車両５０に接近する方向に横移動していることを条件として、衝突判定に要する時間が短縮されてもよい。
【００７１】
・上記において、自車両５０の前方の物体が自転車である場合にも、上記の各処理を適用可能である。なお、自車両５０の前方の物体が自転車である場合には、自転車の横速度が速いことによるトラッキングミスに起因して、レーダセンサ２２によって自転車の検出ができなくなるおそれがある。そこで、画像センサ２１で自転車を検出し、且つ検出された自転車の横速度が所定以上に高速である場合に、レーダセンサ２２の苦手シーンであると判定してもよい。この場合には、例えば、自転車の横速度が所定未満に低下した際に、レーダセンサ２２の苦手シーンが解消されたと判定できる。
【００７２】
・レーダセンサ２２においても、物体との距離が至近距離（例えば２ｍ未満）となると、当該物体を検出できない苦手シーンとなりうる。そこで、自車両５０にソナーやレーザなど、レーダセンサ２２よりも至近距離の物体を検出可能なセンサを搭載する。そして、レーダセンサ２２では検出されていないが、ソナーやレーザ等の至近距離を計測可能なセンサによって、所定の至近距離の位置に物体が検出された場合に、レーダセンサ２２の苦手シーンであると判定してもよい。
【００７３】
・上記において、画像センサ２１として、単眼カメラが搭載された場合において、例えばガードレール付近に歩行者が存在している場合には、単眼カメラでガードレール付近の歩行者を撮影できないことが生じうる。一方、レーダセンサ２２は、所定の強反射物の並びからガードレールを検出できる。そこで、レーダセンサ２２によってガードレールが検出された際に、単眼カメラの苦手シーンであると判定する。そして、単眼カメラの苦手シーンにおいて、単眼カメラによりガードレールの内側に歩行者が検出され、かつその歩行者が内側向きの横速度を有している場合に、単眼カメラの苦手シーンが解消されたと判定する。この場合には、単眼カメラの苦手シーンが解消された後の所定時間以内に、例えば全身辞書で歩行者を検出できた場合に、衝突判定に要する時間を短縮し、全身辞書で歩行者を検出できない場合には、衝突判定に要する時間を短縮しない。
【００７４】
・上記において、センサの苦手シーンが解消された際に検出された物体の種類に応じて、車両制御の作動時間を短縮するか否かが設定されてもよい。例えば、センサの苦手シーンが解消された後の所定時間以内に検出された物体が歩行者や車両等の移動体の場合には、車両制御の作動時間を短縮する短縮モードにする。一方、センサの苦手シーンが解消された後の所定時間以内に検出された物体がマンホール等の静止物の場合には、車両制御の作動時間を短縮しない通常モードに設定する。
【００７５】
・上記において、物体の種類に応じて、苦手シーンを解消する際の判定閾値を変更してもよい。例えば、物体が歩行者の場合に比べて、移動速度の速い二輪車においては、苦手シーンを解消する際の判定閾値を低めに設定する。例えば、歩行者の場合には全身辞書による検出が必要であるのに対して、二輪車の場合には半身辞書による検出が行われた際に、苦手シーンが解消されたと判定してもよい。このようにすると、物体の種類に応じて、より適切にセンサの苦手シーンの解除を判定することができる。
【００７６】
・上記において、センサの苦手シーンが解消された際に検出された物体の種類に応じて、車両制御の作動時間が短縮される度合いを可変設定してもよい。例えば、物体が歩行者の場合に比べて、移動速度の速い二輪車の場合における作動時間がより短縮されるようにする。以上のように物体の種類に応じて車両制御の作動時間を可変設定することで、センサの苦手シーンの解消に伴い検出された物体の種類に応じて、より適切なタイミングで車両制御を実施することができる。
【００７７】
・上記において、車両の周囲に存在する物体を各々異なる方式で検出する検出部は３つ以上設けられていてもよい。例えば、画像センサ２１、レーダセンサ２２に加えて、ソナーやレーダ等を設けた構成であってもよい。
【００７８】
・上記では、苦手シーンが解消されたと判定された後の所定時間以内に、苦手シーンであったセンサにより物体が検出されていれば車両制御を実施するまでの作動時間を短くしているが、この際の「所定時間」は、苦手シーンの種類や物体の種類に応じて可変設定されてもよい。例えば上記の「複数物体の位置関係に応じて発生する苦手シーン１」と、「複数物体の位置関係に応じて発生する苦手シーン２」の各々において「所定時間」を異なる値に設定する。また、物体が自車両の場合と歩行者の場合とで「所定時間」を異なる値に設定する。
【００７９】
・上記では、苦手シーンが解消されたと判定された後の「所定時間以内」に、苦手シーンであったセンサにより物体が検出されていれば車両制御を実施するまでの作動時間を短くしているが、苦手シーンが解消された「時点」で、苦手シーンであったセンサにより物体が検出されていることを条件に、車両制御を実施するまでの作動時間が短く設定されるようにしてもよい。
【符号の説明】
【００８０】
１０…ＥＣＵ、２１…画像センサ、２２…レーダセンサ、５０…自車両。
【図１】
0006361592.tif 000002
【図２】
0006361592.tif 000003
【図３】
0006361592.tif 000004
【図４】
0006361592.tif 000005
【図５】
0006361592.tif 000006
【図６】
0006361592.tif 000007
【図７】
0006361592.tif 000008
【図８】
0006361592.tif 000009